(57)【要約】【課題】ふとんを乾燥する乾燥袋の収納が容易で本体を小形にできるふとん乾燥機を提供することを目的とする。【解決手段】上部に隔壁１とホース収納部入口２を有した箱状の本体３に、温風発生装置７と、温風発生装置７と連通しホース収納部入口２の下方に設けられるホース収納部９と、ホース収納部９に縮小時に収納される伸縮自在なホース１０と、ホース１０に接続される乾燥袋１２とを設け、乾燥袋１２を隔壁１と本体３の上方を覆う蓋１３により形成される乾燥袋収納部１４に収納することにより、乾燥袋１２の収納が容易で、本体８を小形化できるふとん乾燥機が得られる。【選択図】図１
2006034879.tif 000002
【特許請求の範囲】
【請求項１】
上部に隔壁とホース収納部入口を有した箱状の本体と、この本体の隔壁の下方に形成される電装品収納部に配設されるファンモータとヒーターからなる温風発生装置と、この温風発生装置と連通し、前記ホース収納部入口の下方に設けられるホース収納部と、このホース収納部内に縮小時に収納される形状で、前記温風発生装置と接続される伸縮自在に設けられるホースと、このホースに接続されるふとん乾燥用の乾燥袋と、前記本体の上方を覆う形状の蓋とを備え、前記乾燥袋を接続したホースを縮小した状態で、前記乾燥袋を、前記隔壁と蓋との間の空間を乾燥袋収納部に形成して収納する構成としたふとん乾燥機。
【請求項２】
温風発生装置のヒーターをホース収納部の下部に設け、本体の高さを高く形成した請求項１記載のふとん乾燥機。
【請求項３】
本体の上端部を隔壁の位置近くに形成し、上端部までの本体の高さを低くした請求項１記載のふとん乾燥機。
【請求項４】
縮小した状態でのホースの略下半分を収納できる浅形のホース収納部と、前記縮小した状態のホースの略上半分が収納できる高さの乾燥袋収納部とを設けた請求項１記載のふとん乾燥機。
【請求項５】
隔壁とホース収納部との間に隔壁の一部により凸部が形成されるように隔壁の他の部分を下げ、乾燥袋収納部を形成した請求項１記載のふとん乾燥機。
【請求項６】
温風発生装置のヒーターを、ホース収納部側に向かい斜め上方に傾斜して設け、ホース収納部に連設し本体を形成した請求項１記載のふとん乾燥機。
【請求項７】
温風発生装置に設けられるヒーターをセラミックヒーターにより形成した請求項１記載のふとん乾燥機。
【請求項８】
隔壁の一部に凹部を形成してくつ乾燥治具の収納部を設け、ホース先端の吹出口にふとんの乾燥袋またはくつの乾燥治具を取替可能に設け、不使用時には、くつ乾燥治具の収納部と乾燥袋収納部にそれぞれ収納できる構成とした請求項１記載のふとん乾燥機。
【発明の詳細な説明】
【技術分野】
【０００１】
本発明は、温風を乾燥袋に供給してふとんを乾燥するふとん乾燥機に関する。
【背景技術】
【０００２】
従来、この種のふとん乾燥機の一例として本体に設けたホースにエアーマットを接続した状態で使用または収納できるふとん乾燥機が知られている（例えば、特許文献１参照）。
【０００３】
以下、そのふとん乾燥機について図１１を参照しながら説明する。
【０００４】
図に示すように、モータ１０１により駆動されるファン１０２を有したファンケース１０３のファン排出口１０４にヒータケース１０５を設け、ヒータケース１０５の下流側のホース接続口１０６に蛇腹状のホース１０７を接続し、ホース１０７には全面から温風が吹き出るエアーマット１０８を設け、ホース１０７とエアーマット１０８の収納部１０９を、ファンケース１０３の側方と本体１１０の上方開口を覆う収納蓋１１１の内側に形成している。
【特許文献１】特開２０００−２７９６９７号公報（［００１８］〜［００２０］、図１）
【発明の開示】
【発明が解決しようとする課題】
【０００５】
このような従来のふとん乾燥機では、ふとん乾燥機の不使用時には、ホース１０７は収納蓋１１１の内側に形成された収納部１０９に納め、エアーマット１０８はファンケース１０３の側方に設けた収納部１０９に収納することとなり、収納部１０９はホース１０７とエアーマット１０８を収納する容積が必要となり、大形になるとともに収納に手間がかかるという課題があり、小形で収納も容易にできるものが要求されている。
【０００６】
本発明は、このような従来の課題を解決するもので、ふとんを乾燥する乾燥袋およびホースの収納が容易で、小形に形成できるふとん乾燥機を提供することを目的としている。
【課題を解決するための手段】
【０００７】
本発明のふとん乾燥機は上記目的を達成するために、上部に隔壁とホース収納部入口を有した箱状の本体と、この本体の隔壁の下方に形成される電装品収納部に配設されるファンモータとヒーターからなる温風発生装置と、この温風発生装置と連通し前記ホース収納部入口の下方に設けられるホース収納部と、このホース収納部内に縮小時に収納される形状で、前記温風発生装置と接続される伸縮自在に設けられるホースと、このホースに接続されるふとん乾燥用の乾燥袋と、前記本体の上方を覆う形状の蓋とを備え、前記乾燥袋を接続したホースを縮小した状態で、前記乾燥袋を、前記隔壁と蓋との間の空間を乾燥袋収納部に形成して収納する構成としたものである。
【０００８】
この手段により、乾燥袋およびホースの収納が容易で小形に形成できるふとん乾燥機が得られる。
【０００９】
また、他の手段は、温風発生装置のヒーターをホース収納部の下部に設け、本体の高さを高く形成したものである。
【００１０】
この手段により、本体への熱影響を抑えることができ、また、設置面積が小さくベッドでのふとん乾燥が容易にできるふとん乾燥機が得られる。
【００１１】
また、他の手段は、本体の上端部を隔壁の位置近くに形成し、上端部迄の本体の高さを低くしたものである。
【００１２】
この手段により、畳に敷いたふとんを乾燥するときに、効率良く乾燥袋に温風を送ることのできるふとん乾燥機が得られる。
【００１３】
また、他の手段は、縮小した状態でのホースの略下半分を収納できる浅形のホース収納部と、前記縮小した状態のホースの略上半分が収納できる高さの乾燥袋収納部とを設けたものである。
【００１４】
この手段により、乾燥袋の収納が容易となる。
【００１５】
また、他の手段は、隔壁とホース収納部との間に隔壁の一部により凸部が形成されるように隔壁の他の部分下げたものである。
【００１６】
この手段により、効率良く乾燥袋に温風を供給できるとともに、乾燥袋の収納が容易となるふとん乾燥機が得られる。
【００１７】
また、他の手段は、温風発生装置のヒーターを、ホース収納部に向かい斜め上方に傾斜して設け、ホース収納部に連設したものである。
【００１８】
この手段により、熱影響を抑えることができる。
【００１９】
また、他の手段は、温風発生装置に設けられるヒーターをセラミックヒーターにより形成したものである。
【００２０】
この手段により、本体を小形に形成できるとともに、本体への熱影響を抑えることができる。
【００２１】
また、他の手段は、隔壁の一部に凹部を形成してくつ乾燥治具の収納部を設け、ホース先端の吹出口にふとんの乾燥袋または、くつ乾燥治具を取替可能に設け、不使用時には、くつ乾燥治具の収納部と乾燥袋収納部にそれぞれ収納できる構成としたものである。
【００２２】
この手段により、くつ乾燥治具および乾燥袋の収納および出し入れを容易にすることができるふとん乾燥機が得られる。
【発明の効果】
【００２３】
本発明によれば、乾燥袋およびホースの収納が容易で小形に形成できる効果のあるふとん乾燥機を提供できる。
【００２４】
また、本体への熱影響を抑制することができる。
【００２５】
また、乾燥袋に効率良く温風を送ることができる。
【００２６】
また、くつ乾燥治具および乾燥袋の収納および取り出しを容易にすることができるふとん乾燥機を提供できる。
【発明を実施するための最良の形態】
【００２７】
本発明の請求項１記載の発明は、上部に隔壁とホース収納部入口を有した箱状の本体と、この本体の隔壁の下方に形成される電装品収納部に配設されるファンモータとヒーターからなる温風発生装置と、この温風発生装置と連通し前記ホース収納部入口の下方に設けられるホース収納部と、このホース収納部内に縮小時に収納される形状で、前記温風発生装置と接続される伸縮自在に設けられるホースと、このホースに接続されるふとん乾燥用の乾燥袋と、前記本体の上方を覆う形状の蓋とを備え、前記乾燥袋を接続したホースを縮小した状態で、前記乾燥袋を、前記隔壁と蓋との間の空間を乾燥袋収納部に形成して収納する構成としたものであり、ふとん乾燥機を使用しないとき、ホース先端に乾燥袋を接続したままの状態で、ホースはホース収納部に収納することにより、従来のように一つの収納部に乾燥袋とホースを一緒に収納することがなくなり、ホースの収納を気にすることなく、乾燥袋のみをゆったりとした乾燥袋収納部に収納することができるので、乾燥袋を折りたたむ必要もなく、乾燥袋を雑にたたんで収納しても乾燥袋収納部に余裕があるので、蓋の開閉も容易にできるという作用を有する。
【００２８】
また、請求項２記載の発明は、温風発生装置のヒーターをホース収納部の下部に設け、本体の高さを高く形成したものであり、ふとん乾燥終了後、運転が停止されると、ヒーターには送風されなくなり、ヒーターの横置きの場合には、ヒーター内部に熱がたまりやすく、内蔵している安全装置であるサーモスタット等を誤動作させないように配慮する必要があったり、ファンモータ側にも余熱が逆流してファン等の樹脂成形部品等に影響する恐れがあるため耐熱性を向上させる必要があったのが、ヒーターをホース収納部の下部に設けることにより、ファンモータの運転が停止した後も、ヒーター運転停止後の余熱もスムーズにホース内に導かれ、本体への熱影響を抑えることができるとともに、設置面積が小さく省スペース化が図れ、本体の高さを高くすることにより、乾燥袋がベッドの高さに近づくので、ベッド上のふとん乾燥時の取り扱いが容易になるという作用を有する。
【００２９】
また、請求項３記載の発明は、本体の上端部を隔壁の位置近くに形成し、上端部迄の本体の高さを低くしたものであり、本体の上端部と隔壁の距離が短くなるので、畳に敷いたふとんを乾燥させるときに、隔壁から蛇腹状の伸縮自在なホースをすぐに曲げることができるので、その分だけホースを短くして効率良く乾燥袋に温風を送ることができるという作用を有する。
【００３０】
また、請求項４記載の発明は、縮小した状態でのホースの略下半分を収納できる浅形のホース収納部と、前記縮小した状態のホースの略上半分が収納できる高さの乾燥袋収納部とを設けたものであり、乾燥袋収納部の収納容積が大きくなり、ゆったりと乾燥袋を収納できるという作用を有する。
【００３１】
また、請求項５記載の発明は、隔壁とホース収納部との間に隔壁の一部により凸部が形成されるように、隔壁の他の部分を下げ乾燥袋収納部を形成したものであり、乾燥袋の収納がよりゆったりと収納できるとともに、隔壁からホースがすぐに曲げられるので、ホースの全長を短くして効率良く乾燥袋に温風を送ることができる作用を有する。
【００３２】
また、請求項６記載の発明は、温風発生装置のヒーターを、ホース収納部側に向かい斜め上方に傾斜して設け、ホース収納部に連設し本体を形成したものであり、ファンモータの運転が停止した後も、ヒーター運転停止後の余熱をスムーズに温風の吹出口側へ導き、本体への熱影響を抑えることができる作用を有する。
【００３３】
また、請求項７記載の発明は、温風発生装置に設けられるヒーターをセラミックヒーターにより形成したものであり、ヒーターの厚みを薄くできるので、本体を小形にでき、高さもそのままの状態で畳の上のふとんおよびベッドの上のふとんの乾燥にも適し、またファンモータの停止後のヒーターによる余熱が生じ難いので、本体への熱影響を抑えることができるという作用を有する。
【００３４】
また、請求項８記載の発明は、隔壁の一部に凹部を形成して、くつ乾燥治具の収納部を設け、ホース先端の吹出口にふとん乾燥袋または、くつ乾燥治具を取替可能に設け、不使用時には、くつ乾燥治具の収納部と、乾燥袋収納部にそれぞれ収納できる構成としたものであり、ふとん乾燥機はふとんの乾燥以外に、ホース先端の吹出口に、くつ乾燥治具を取り付けることで、濡れた運動くつ等も乾燥することができるが、このくつ乾燥治具の使用後の収納場所を大きく取られるため、よく使う乾燥袋の収納に支障をきたすものであったが、隔壁に凹部を形成してくつ乾燥治具の収納部を形成することによって、くつ乾燥治具も邪魔にならずに収納することができ、また、使用頻度の高い乾燥袋をゆったり収納でき、出し入れも容易となる作用を有する。
【００３５】
以下、本発明の実施の形態について図面を参照しながら説明する。
【００３６】
（実施の形態１）
図１および図２に示すように、上部に隔壁１とホース収納部入口２を有した箱状の本体３の隔壁１の下方に形成される電装品収納部４にファンモータ５とヒーター６からなる温風発生装置７を配設し、温風発生装置７と通風路ダクト８を介して連通し、ホース収納部入口２の下方に設けられるホース収納部９内に縮小時に収納される形状で温風発生装置７と接続される伸縮自在な蛇腹状のホース１０を設け、ホース１０の先端には吹出口１１を介して温風が送られることにより膨らむふとん乾燥用の乾燥袋１２を設ける。
【００３７】
また、本体３の上方には、本体３の上方を覆う形状の椀状の蓋１３を設け、乾燥袋１２を接続したホース１０が縮小した状態で乾燥袋１２を、隔壁１と蓋１３との間の空間を乾燥袋収納部１４に形成して収納する構成とする。
【００３８】
上記構成において、ふとん１５を乾燥するときには、蓋１３を開けて乾燥袋１２を本体３より取り出し、ホース１０を伸ばし、乾燥袋１２を平坦に広げた状態でふとん１５の間に入れ、ふとん乾燥機を運転すると、温風発生装置７のファンモータ５が駆動し、ヒーター６に通電される。ファンモータ５より送られた空気が電装品収納部４の底部近傍に略水平に設置されたヒーター６を通り、ヒーター６により加熱されて形成された温風が通風ダクト８を通り略垂直状態のホース収納部９内のホース１０を通り、温風が乾燥袋１２に送られる。乾燥袋１２が適度に膨らんだ状態となり、乾燥袋１２の表面より吹き出した温風がふとん１５を暖め、ふとん１５が乾燥される。
【００３９】
また、ふとん１５の乾燥が終了し、ふとん乾燥機の不使用時にはホース１０に乾燥袋１２を接続した状態で、ホース１０はホース収納部９内に縮小して収納し、乾燥袋１２は本体３の隔壁１と蓋１３との間の空間に形成される乾燥袋収納部１４に収納する。
【００４０】
このように、ふとん乾燥機を使用しないとき、ホース１０の先端に乾燥袋１２を接続したままの状態で、ホース１０はホース収納部９に縮小した状態で収納することにより、乾燥袋１２のみが乾燥袋収納部１４に余裕をもって収納することができるので、乾燥袋１２を折り畳む必要もなく、乾燥袋１２を雑に畳んで収納しても乾燥袋収納部１４を形成する蓋１３の開閉も容易で、また、本体３も従来品と比較して小形に形成することができることとなる。
【００４１】
（実施の形態２）
図３に示すように、温風発生装置７Ａのヒーター６Ａをホース収納部９Ａの下部に設け、本体３Ａの高さを高く形成した構成とする。
【００４２】
上記構成において、ふとん乾燥機の使用時には、本体３Ａから乾燥袋１２を取り出し、ホース１０を伸ばし、乾燥袋１２を平坦に広げた状態でふとん（図示せず）の上に置き、ふとん乾燥機を運転すると、ファンモータ５より送られた空気が略垂直状態に配設されたヒーター６Ａにより加熱されて形成された温風が略垂直状態のホース収納部９Ａ内のホース１０を通り、温風が乾燥袋１２に送られて乾燥が行われる。
【００４３】
また、ふとん乾燥終了時においては、温風発生装置７Ａのファンモータ５の運転が停止されるとともに、ヒーター６Ａの通電も停止されることとなり、ヒータ６Ａにある余熱は、ヒーター６Ａから上昇して、ヒーター６Ａの上部にあるホース１０内に入り、乾燥袋１２側に向かい送られ、ヒーター６Ａの余熱の放散が良好となる。
【００４４】
そして、従来品ではふとん乾燥終了後、電源タイマ等が作動して電源が切れると、ファンモータとヒーターの運転も停止することとなるが、ファンモータが運転しなくなると同時に送風も停止されるため、ヒーターには送風されなくなり、ヒーター自身の余熱が実施の形態１に示すように、ヒーターが略水平状態に配設されている場合には、ヒーター内部に熱がこもりやすく、内蔵されているサーモスタット等の誤作動させないように配慮する必要があった。また、ファンモータ側にも余熱が逆流してファン等の樹脂成形部品等に影響する恐れがあるため、耐熱性を高める必要があったが、熱源であるヒーター６Ａをホース収納部９Ａの下部に設けることにより、ファンモータ５の運転が停止した後も、ヒーター６Ａの運転停止後の余熱もスムーズに吹出口１１へ導いて本体３Ａの熱影響を抑えることができる。また、ファンモータ５の上方にヒーター６Ａ、ホース１０、乾燥袋１２を全て配置して本体３Ａの設置面積を小さくできるとともに、本体３Ａの高さを高くすることにより、ベッド（図示せず）上のふとんの乾燥時の取り扱いも容易にできることとなる。
【００４５】
（実施の形態３）
図４および図５に示すように、本体３Ｂの上端部１６を隔壁１Ａの位置近くに形成し、上端部１６までの本体３Ｂの高さを低くした構成とする。
【００４６】
上記構成において、ふとん乾燥時に、蓋１３を外し、本体３Ｂより乾燥袋１２を取り出し、ホース１０Ａを伸ばした状態において、上端部１６上で、ホース１０Ａを曲げて、乾燥袋１２を畳の上に敷いたふとん１５の上に置き、さらに別のふとん１５をかぶせて乾燥する。
【００４７】
このように、本体３Ｂの上端部１６と隔壁１Ａの距離（Ｌ）が短くなるのでホース収納部９に収納されていたホース１０Ａを伸ばし、本体３Ｂの外部に引き出すときに、ホース１０Ａは上端部１６ですぐに曲がることとなり、隔壁１Ａより上端部１６までの距離（Ｌ）が離れている場合と比較してホース１０Ａの上端部１６を乗りこえて曲がる長さが短くなり、その分だけホース１０Ａを短くすることが可能となり、乾燥袋１２に効率良く温風を送ることができることになるとともに、畳の上にふとん１５を敷いている場合等においてはホース１０Ａの本体３Ｂから引き出す位置が下がることにより、取り扱い易くなり取り扱い性も向上することとなる。
【００４８】
（実施の形態４）
図６に示すように、縮小した状態でのホース１０Ｂの略下半分を収納できる浅形のホース収納部９Ｂと、ホース１０Ｂを縮小した状態の略上半分が収納できる高さの乾燥袋収納部１４Ａとを設け本体３Ｃを構成する。
【００４９】
上記構成において、ふとんの乾燥は実施の形態１で説明したように行われる。
【００５０】
次に、ふとんの乾燥終了後、乾燥袋１２を本体３Ｃ内に収納するときには、ホース１０Ｂを縮小し、ホース１０Ｂの下半分をホース収納部９Ｂ内に収納し、ホース１０Ｂの上半分は乾燥袋収納部１４Ａ内に突出させた状態で乾燥袋１２を乾燥袋収納部１４Ａに収納する。
【００５１】
このように、浅形のホース収納部９Ｂと、縮小した状態のホース１０Ｂの略上半分が収納できる高さの乾燥袋収納部９Ｂを設けることにより、乾燥袋収納部９Ｂの容積を大きく形成することができ、乾燥袋１２の収納がゆったりした状態で行うことができることとなる。
【００５２】
（実施の形態５）
図７に示すように、隔壁１Ｂとホース収納部９Ｃとの間に隔壁１Ｂの一部より凸部１７が形成されるよう隔壁１Ｂの他の部分を電装品収納部４Ａ側に下げて乾燥袋収納部１４Ｂを形成し、本体３Ｄを構成する。
【００５３】
上記構成において、ふとんの乾燥は実施の形態１で説明したように行われる。
【００５４】
次に、ふとん乾燥終了後、乾燥袋１２を本体３Ｄ内に収納するときには、ホース１０をホース収納部９Ｃ内に収納し、乾燥袋１２を乾燥袋収納部１４Ｂに収納する。
【００５５】
このように、ホース収納部９Ｃ側の隔壁１Ｂに凸部１７を残して他の隔壁１Ｂを下げることにより、隔壁１Ｂ上に形成される乾燥袋収納部１４Ｂの容積が大きくなり、乾燥袋１２の収納がよりゆったり収納できるとともに、隔壁１Ｂからホース１０がすぐに曲げられるので効率良く乾燥袋１２に温風を送ることができる。
【００５６】
（実施の形態６）
図８に示すように、温風発生装置７Ｂのヒーター６Ｂをホース収納部９Ｅ側に向かい斜め上方に傾斜して設け、通風ダクト８を介してホース収納部９Ｅに連通しホース１０に接続して本体３Ｅを構成する。
【００５７】
上記構成において、ふとんの乾燥は実施の形態１で説明したように行われる。
【００５８】
次に、ふとん乾燥終了後、ヒーター６Ｂの余熱は斜め上方に向かい移動し、連通ダクト８によりホース１０内に案内され、ホース１０より乾燥袋１２に移動される。
【００５９】
このように、ヒーター６Ｂを、ホース収納部９Ｅ側に向かい斜め上方に傾斜して設けていることにより、温風発生装置７Ｂのファンモータ５が停止した後にヒーター６Ｂの余熱がスムーズにホース１０の吹出口１１側に導かれ、本体３Ｅへの熱影響を抑えることができる。
【００６０】
また、ヒーター６Ｂを斜めに傾斜して配設することにより、ヒーターを水平に設けたときの本体の高さより本体３Ｅの高さは高くなり、また、ヒーターをホース収納部の下方に略垂直に設けた場合の本体の高さにより本体３Ｅの高さは低くなり、ふとんが畳の上または、ベッドの上の何れに設けられている場合にも適用できることとなる。
【００６１】
（実施の形態７）
図９に示すように、温風発生装置７Ｃに設けられるヒーターをセラミックヒーター（正特性サーミスターヒーター）１８により形成し、本体３Ｆを構成する。
【００６２】
上記構成において、ふとんの乾燥は実施の形態１で説明したように行われる。
【００６３】
このように、温風発生装置７Ｃにセラミックヒーター１８を設けることにより、ヒーター部分の厚みを薄くすることができ、本体３Ｆを小形化できるとともに、本体３Ｆの高さを低くしたり、高くしたりしないので、ふとんを床面またはベッドの上の何れに置いても対応ができ、また、セラミックヒーター１８の使用により、温風発生装置７Ｃのファンモータ５が停止しても、セラミックヒーター１８による余熱が生じ難いので、本体３Ｆへの熱影響を抑えることができることとなる。
【００６４】
（実施の形態８）
図１０に示すように、隔壁１Ｃの一部に凹部を形成して、くつ乾燥治具２０の収納部１９を設け、ホース１０Ｃの先端の吹出口１１Ａにふとんの乾燥袋１２Ａまたは、くつ乾燥治具２０を取替可能に設け、運転しないときは、くつ乾燥治具２０の収納部１９と乾燥袋収納部１４Ｃにそれぞれ収納できるように本体３Ｇを構成する。
【００６５】
上記構成において、ふとんを乾燥するときには、ホース１０Ｃの吹出口１１Ａに乾燥袋１２Ａを接続し、実施の形態１で説明したように乾燥を行い、濡れたくつ等を乾燥するときには、ホース１０Ｃの吹出口１１Ａに、くつ乾燥治具２０を取り付け、くつの内部に温風を送り乾燥する。
【００６６】
このように、ホース１０Ｃの吹出口１１Ａに乾燥袋１２Ａまたはくつ乾燥治具２０を取り付けることにより、ふとんまたはくつの乾燥を行うことができる。
【００６７】
そして、不使用時には、くつ乾燥治具２０をくつ乾燥治具の収納部１９に収納し、乾燥袋１２Ａを乾燥袋収納部１４Ｃに収納できるので、従来品のように、くつ乾燥治具の使用後の収納場所を大きくとられるためによく使用する乾燥袋の収納が困難になるということが解消される。すなわち電装品収納部４Ｂと乾燥袋収納部１４Ｃを分ける隔壁１Ｃに凹部を設け、くつ乾燥治具の収納部１９を形成し、くつ乾燥治具２０を収納するようにしているので、くつ乾燥治具２０も邪魔にならず収納でき、また、使用頻度の高い乾燥袋１２Ａもゆったり収納できることとなる。
【産業上の利用可能性】
【００６８】
温風発生装置に接続したホースの端部を局部的に暖房を行いたい場所に導いて局部暖房を行う用途にも適用できる。
【図面の簡単な説明】
【００６９】
【図１】本発明の実施の形態１のふとん乾燥機の収納状態を示す断面図
【図２】同ふとん乾燥機の使用状態を示す概略図
【図３】本発明の実施の形態２のふとん乾燥機の収納状態を示す断面図
【図４】本発明の実施の形態３のふとん乾燥機の収納状態を示す断面図
【図５】同ふとん乾燥機の使用状態を示す斜視図
【図６】本発明の実施の形態４のふとん乾燥機の収納状態を示す断面図
【図７】本発明の実施の形態５のふとん乾燥機の収納状態を示す断面図
【図８】本発明の実施の形態６のふとん乾燥機の収納状態を示す断面図
【図９】本発明の実施の形態７のふとん乾燥機の収納状態を示す断面図
【図１０】本発明の実施の形態８のふとん乾燥機の収納状態を示す断面図
【図１１】従来のふとん乾燥機の収納状態を示す断面図
【符号の説明】
【００７０】
１          隔壁
１Ａ        隔壁
１Ｂ        隔壁
１Ｃ        隔壁
２          ホース収納部入口
３          本体
３Ａ        本体
３Ｂ        本体
３Ｃ        本体
３Ｅ        本体
４          電装品収納部
５          ファンモータ
６          ヒーター
６Ａ        ヒーター
６Ｂ        ヒーター
７          温風発生装置
７Ａ        温風発生装置
７Ｂ        温風発生装置
７Ｃ        温風発生装置
９          ホース収納部
９Ａ        ホース収納部
９Ｂ        ホース収納部
９Ｃ        ホース収納部
９Ｅ        ホース収納部
１０        ホース
１０Ｂ      ホース
１０Ｃ      ホース
１１Ａ      吹出口
１２        乾燥袋
１２Ａ      乾燥袋
１３        蓋
１４        乾燥袋収納部
１４Ａ      乾燥袋収納部
１４Ｂ      乾燥袋収納部
１４Ｃ      乾燥袋収納部
１６        上端部
１７        凸部
１８        セラミックヒーター
１９        くつ乾燥治具の収納部
２０        くつ乾燥治具
【図１】
2006034879.tif 000003
【図２】
2006034879.tif 000004
【図３】
2006034879.tif 000005
【図４】
2006034879.tif 000006
【図５】
2006034879.tif 000007
【図６】
2006034879.tif 000008
【図７】
2006034879.tif 000009
【図８】
2006034879.tif 000010
【図９】
2006034879.tif 000011
【図１０】
2006034879.tif 000012
【図１１】
2006034879.tif 000013